(57)【特許請求の範囲】
【請求項１】
固定刃（１０）にスライド刃（１１）が往復スライド自在に保持されたカッターヘッド（３）と、該カッターヘッド（３）のスライド刃（１１）を駆動させるためのモータ（１３）を収納する把持可能なボディ部（２）とを有し、ボディ部（２）とカッターヘッド（３）との間にカッターヘッド（３）へ向けて冷却風を吹き出すための吹き出し口部（３４）が設けられていて、
前記吹き出し口部（３４）とボディ部（２）との間にファン（２０）を内装したファンケース部（４）が設けられており、吹き出し口部（３４）から前記カッターヘッド（３）までの間に上記ファンケース部（４）よりも一回り細身に形成されてその外面で上記吹き出し口部（３４）から吹き出す冷却風を沿わせつつカッターヘッド（３）へ導くカッター保持部（５）が設けられており、
前記ファンケース部（４）は、内ケース体（２６）と外ケース体（２７）との内外二重筒構造を有することによりこれら両ケース体（２６，２７）の周間の一端側で前記吹き出し口部（３４）を形成させたものであって、上記内ケース体（２６）の周壁部には当該内ケース体（２６）の内方と上記吹き出し口部（３４）とを連通させる通風口部（３９）が設けられており、該内ケース体（２６）内に設けられたファン（２０）は内ケース体（２６）の中心部に設定された回転中心から径方向外方へ向けて冷却風を発生させて該冷却風を上記通風口部（３９）へ送り込む構造であることを特徴とする動物用バリカン。
【請求項２】
前記ボディ部（２）内と前記ファンケース部（４）内とが連通形成されていると共に、上記ファンケース部（４）内でファン（２０）が回転することで上記ボディ部（２）に収納されたモータ（１３）の後方側からファン用空気が取り込まれる構造になっていることを特徴とする請求項１に記載の動物用バリカン。
【発明の詳細な説明】
【０００１】
【発明の属する技術分野】
本発明は、動物用バリカンに関するものである。
【０００２】
【従来の技術】
従来、バリカンは、櫛刃状をした固定刃とスライド刃とを互いに重ね合わせた状態にし、スライド刃を固定刃に沿わせつつ左右方向へ高速で往復スライドさせる構造となったものが一般的である（実開平６−４６６７２号公報等参照）。
この種のバリカンでは、固定刃とスライド刃とのスライド間で摩擦熱が発生する。
【０００３】
【発明が解決しようとする課題】
このようにして発生する摩擦熱は、殊に羊毛などを刈るために用いられる動物用バリカン等において高温に達することがあり、毛を刈られている動物やバリカンを持つ者が誤って固定刃等に触れたときに、非常に熱い思いをするということがあった。
なお、毛を刈っている途中の動物が固定刃等に触れて熱いと感じた場合、急に暴れ出して動物自身が怪我を負うという問題や、毛を刈る作業が大幅に遅れるといった問題に繋がることになる。
【０００４】
本発明は、上記事情に鑑みてなされたものであって、固定刃にスライド刃が往復スライドするタイプのバリカンとして、固定刃やスライド刃が高温になるのを防止して従来の各種問題を解消できるようにしたバリカンを提供することを目的とする。
【０００５】
【課題を解決するための手段】
前記目的を達成するために、本発明は次の手段を講じた。
即ち、本発に係るバリカンは、固定刃にスライド刃が往復スライド自在に保持されたカッターヘッドと、このカッターヘッドのスライド刃を駆動させるためのモータを収納する把持可能なボディ部とを有したものである。
そして、ボディ部とカッターヘッドとの間に、カッターヘッドへ向けて冷却風を吹き出すための吹き出し口部が設けられたものとしている。
【０００６】
このような構成であるため、カッターヘッドは、その動作中に吹き出し口部から吹き出される冷却風によって冷却されることになり、固定刃等が高温化することがない。
従って、毛を刈られている動物等やバリカンを持つ者が誤って固定刃等に触れたとしても、熱い思いをすることがない。
吹き出し口部から冷却風を吹き出させるための具体的構造としては、次のようなものとすればよい。
【０００７】
すなわち、吹き出し口部とボディ部との間にファンを内装したファンケース部を設け、吹き出し口部から前記カッターヘッドまでの間に上記ファンケース部よりも一回り細身に形成されてその外面で上記吹き出し口部から吹き出す冷却風を沿わせつつカッターヘッドへ導くカッター保持部を設ける。
このようにすることで、冷却風をカッターヘッドへ誘導するのが容易且つ確実にできる。また、バリカン全体としてコンパクトに形成させることができる。
ファンケース部は、内ケース体と外ケース体との内外二重筒構造を有したものとすることができる。このようにすると、これら両ケース体の周間の一端側で、上記した吹き出し口部を形成させることができる。
【０００８】
この場合、内ケース体の周壁部には、この内ケース体の内方と吹き出し口部とを連通させる通風口部を設けておく。またこの内ケース体内に設けられたファンは、内ケース体の中心部に設定された回転中心から径方向外方へ向けて冷却風を発生させて、この冷却風を上記通風口部へ送り込むようにする。
この構造を採用することで、ファンケース部として、その径方向大きさ及び軸方向大きさを共にコンパクトに収めることができる。また、この構造では冷却風の発生効率が良好であるので、ファンケース部をコンパクト化したことによる冷却風の風量低下に繋がることはない。
【０００９】
ボディ部内とファンケース部内とを連通形成し、且つファンケース部内でファンを回転させたときには、ボディ部に収納されたモータの後方側からファン用空気を取り込まれるようにする構造を採用することが好ましい。
このようにすることで、ファン用空気がファンケース部内へ供給される過程で、このファン用空気がモータをも冷却することになる。従って、モータの保護及び回転効率の維持が可能となる。
【００１０】
【発明の実施の形態】
以下、本発明の実施の形態を、図面に基づき説明する。
図１は、本発明に係るバリカン１の一実施形態についてその全体を示した平面図である。
このバリカン１は、把持可能な太さに形成されたボディ部２を有している。
このボディ部２の前方（図１左方）には、カッターヘッド３が設けられている。
【００１１】
またこれらボディ部２とカッターヘッド３との間には、ファンケース部４が設けられており、更にこのファンケース部４とカッターヘッド３との間にはカッター保持部５が設けられている。
図２に示すように、上記カッターヘッド３は、櫛刃状をした固定刃１０と、この固定刃１０よりも一回り小さく形成されて（特に幅狭とされている）、やはり櫛刃状をしたスライド刃１１とを有している。固定刃１０とスライド刃１１とは互いに重ね合わせられ、且つ固定刃１０に対してスライド刃１１が往復スライド自在に保持されたものとなっている。
【００１２】
実際に毛を刈るときには固定刃１０の方が下位とされ、その上面側にスライド刃１１が位置付けられる状態とされる。
図３に示すように、上記ボディ部２の内部には、カッターヘッド３のスライド刃１１を駆動させるためのモータ１３が収納されている。このモータ１３（図４参照）は、円筒形のコア１４とその中心孔内へ装填されるローター１５と、ローター１５に一体回転可能状態で取り付けられたローター軸１６とを有したものである。
【００１３】
ローター軸１６はローター１５の前後両側へ延出されており、その後端側には整流子１７等が取り付けられ、軸受け具１８を介して回転自在に保持されている。また、このローター軸１６の前端側にはファン２０がこのローター軸１６と一体回転可能状態に取り付けられ、その更に前部分が軸受け具２１を介して回転自在に保持されている。
すなわち、このファン２０はモータ１３によるダイレクトドライブ方式となっている。このファン２０は、上記したファンケース部４内に位置付けられるようになっている。
【００１４】
なお。ボディ部２の内部とファンケース部４の内部との間に仕切りはなく、互いに連通状態になっている。
図５に示すように、このボディ部２の後端部には、その外周面に沿って複数の空気取入口２２が貫通形成されている。これらの空気取入口２２は、ボディ部２に対して着脱自在とされたフィルター兼カバー２３によって覆われている。
従って、ファンケース部４内でファン２０を回転させたときには、この空気取入口２２を介してボディ部２内にファン用空気が取り込まれ、この空気がボディ部２内のモータ１３後方からそのまわりを前方へ向かって通過して、ファンケース部４内へと供給されることになる。
【００１５】
この過程で、モータ１３は、このファン用空気によって冷却されることになる。
図３、図６及び図７に示すように、ファンケース部４は、円筒形をした内ケース体２６と、この内ケース体２６よりも径大な円筒形をした外ケース体２７とを互いに嵌め合わせた内外二重筒構造を有している。
本実施形態では、内ケース体２６が更に内筒部材２８と外筒部材２９とを有したものとなっている。そして、外筒部材２９にはその前端側（カッター保持部５寄り）に内向きの段部３０（図３にのみ示した）が設けられており、この内向きの段部３０により、この外筒部材２９内へ嵌められる内筒部材２８の前端面に当接して、この内筒部材２８を当て止めするようになっている。
【００１６】
これに対し、外ケース体２７には、その後端側（ボディ部２寄り）の端部内周面に内周リブ３１（図３にのみ示した）が設けられている。この内周リブ３１は、内ケース体２６における外筒部材２９の後端面に当接してこれを当て止めすると共に、内ケース体２６における内筒部材２８の外周面に当接して、そのガタツキを防止するようになっている。
これらのことから明らかなように、このファンケース部４は、外ケース体２７を間に挟んで、その前側へ内ケース体２６の外筒部材２９を嵌め込むと共に、外ケース体２７の後側へ内ケース体２６の内筒部材２８を嵌め込むことにより、内ケース体２８の組み立てと同時にファンケース部４全体としての組み立てもできる構造となっている。
【００１７】
内ケース体２６の外径に対して外ケース体２７の内径は一回り径大とされている。従って、内ケース体２６と外ケース体２７とを組み合わせた状態では、これら両ケース体２６，２７の周間に隙間３３が形成されるようになっている。
この隙間３３は、上記したように外ケース体２７の後端側に設けられた内周リブ３１が内ケース体２６における内筒部材２８の外周面に当接しているため、実質的に後方が閉塞され、前方へのみ開放された状態となっている。この前方側の開放部分が冷却風の吹き出し口部３４とされている。
【００１８】
一方、内ケース体２６の周壁部には、その周方向の対向する２カ所に通風口部３９が形成されている。図６に示すように、これらの通風口部３９は、内筒部材２８側に設けられた内側開口３９ａと外筒部材２９側に設けられた外側開口３９ｂとを互いに合致させることで形成してある。
従って、この通風口部３９により、内ケース体２６の内方（即ち、ファンケース部４のケース内）と、上記した隙間３３及び吹き出し口部３４とが連通していることになる。
【００１９】
すなわち、上記の吹き出し口部３４は、ボディ部５とカッターヘッド４との間に位置付けられ、且つ前方のカッターヘッド３へ向けられていることになり、この吹き出し口部３４から冷却風を吹き出させることによって、この冷却風をカッターヘッド３へ吹き当てることができるわけである。
なお、外ケース体２７には、周方向の対向する２カ所に扁平部分３６が形成されており、これら両扁平部分３６の対向間隔（内法寸法）が内ケース体２６の外径に略等しく形成されている。また、この外ケース体２７の内周面には、上記扁平部分３６以外の複数箇所に、内ケース体２６の外周面に当接可能なリブ３７が形成されている。
【００２０】
これらのことから、外ケース体２７内において内ケース体２６がガタツキを起こさず、また上記した隙間３３及び吹き出し口部３４が確保されるようになっている。
上記したように、ファンケース部４内にはファン２０が収納されている（図３参照）。このファン２０は、図４に示したようにローター軸１６を中心として回転し、このときその回転中心から径方向外方へ向けて冷却風を発生させるようにフィン４０が設けられたものとなっている。
【００２１】
このようなことから、このファン２０の回転によって発生した冷却風が、その径方向外方側に位置付けられることとなる通風口部３９へと送り込まれることになる。
上記カッター保持部５は、上記ファンケース部４よりも一回り細身に形成されている。従って、ファンケース部４の前部に設けられている吹き出し口部３４から吹き出す冷却風は、このカッター保持部５の外面に沿ってカッターヘッド４へと導かれるようになる。
【００２２】
なお、図示は省略するが、このカッター保持部５の内部にはカッターヘッド３のスライド刃１１を往復スライドさせるためのメカ部が収納されている。このメカ部は、基本的には従来公知のものと略同様なもので、例えばモータ１３のローター軸１６に偏心ロータ等を利用したカム機構を設けることによって、回転運動から直線往復運動を取り出し、この直線往復運動をスライド刃１１へ伝えるようにしたものである。
以上のような構成のバリカン１では、モータ１３を回転駆動させることで、カッターヘッド３においてスライド刃１１が往復スライド動作を開始すると共に、このモータ１３によって同時にファン２０が回転するようになる。
【００２３】
このファン２０の回転により、ボディ部２の後端側に設けられた空気取入口２２からファン用空気が取り込まれ、この空気がファンケース部４から通風口部３９及び隙間３３を介して吹き出し口部３４から前方へ向け、冷却風として吹き出されることになる。
そのため、この吹き出し口部３４からの冷却風によってカッターヘッド３が冷却されることになり、固定刃１０やスライド刃１１、及びその周辺が冷却され、高温化することがない。
【００２４】
従って、毛を刈られている動物等やこのバリカン１を持つ者が誤って固定刃１０等に触れたとしても、熱い思いをすることがない。
また、上記のようにボディ部２の空気取入口２２からボディ部２内へ取り込まれたファン用空気が、ファン２０へ供給される過程でモータ１３を冷却するので、モータ１３自体も過熱傾向になるのを防止され、またボディ部２も高温化することがない。
ところで、本発明は、上記した各実施形態以外にも、更に実施の形態に応じて適宜変更可能である。
【００２５】
例えば、ファンケース部４において、内ケース体２６は、内筒部材２８と外筒部材２９とによって組み立てる構造としたが、これに限定されるものではなく、一体形成することもできる。
カッターヘッド３を駆動させるためのモータ１３とは別に、ファン２０を回転駆動させるためのモータを設けることも可能である。また、ファン２０は、プロペラファンやシロッコファン等に置換することもできる。
【００２６】
【発明の効果】
以上の説明から明らかなように、本発明に係るバリカンでは、固定刃及びスライド刃を有するカッターヘッドに対して冷却風を吹き付ける構成としたので、このカッターヘッドが高温になることを防止でき、もって従来の各種問題を解消できるに至った。
【図面の簡単な説明】
【図１】本発明に係るバリカンの一実施形態を示した平面図である。
【図２】図１のバリカンに用いられたカッターヘッドを分解して示した斜視図である。
【図３】図１のバリカンのボディ部及びファンケース部を示した平面断面図である。
【図４】図１のバリカンに用いられたファン及びモータを示した斜視図である。
【図５】図１のバリカンに用いられたボディ部を分解して示した斜視図である。
【図６】図１のバリカンに用いられたファンケース部を分解して示した斜視図である。
【図７】図６に対応する組み立て完了図である。
【符号の説明】
１    バリカン
２    ボディ部
３    カッターヘッド
４    ファンケース部
５    カッター保持部
１０    固定刃
１１    スライド刃
１３    モータ
２０    ファン
２６    内ケース体
２７    外ケース体
３４    吹き出し口部
３９    通風口部
【図１】
0003742766.tif 000002
【図２】
0003742766.tif 000003
【図３】
0003742766.tif 000004
【図４】
0003742766.tif 000005
【図５】
0003742766.tif 000006
【図６】
0003742766.tif 000007
【図７】
0003742766.tif 000008